【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
ロケーションベースサービスを求める要求をモバイルデバイスから受信することと、ここにおいて、前記要求は、データベース中にエントリを有する前記ロケーションのための一意識別子と、前記ロケーションに関連付けられ、前記ロケーションに物理的に存在することによって前記モバイルデバイスによって取得される許可識別子とを含む、
前記データベース中の前記ロケーションのための前記エントリを見つけるために前記一意識別子を使用することと、
前記要求が許可されることを検証するために前記許可識別子を使用することと、ここにおいて、前記要求が許可されることを検証するために前記許可識別子を使用することが、前記要求からの前記許可識別子を、前記データベース中の前記ロケーションのための前記エントリ中のデータベース許可識別子と比較することを備える、
前記要求が許可されることを検証した後にのみ、前記ロケーションベースサービスを求める前記要求に応答して、前記モバイルデバイスに前記データベース中の前記エントリ中の前記ロケーションに関連するロケーションベースサービスデータを送信することと
を備える、方法。
【請求項２】
前記要求が、前記データベース中にエントリをもつ複数のロケーションのための一意識別子と、前記複数のロケーションに関連する許可識別子とを含み、ここにおいて、前記要求が許可されることを検証するために前記許可識別子を使用することは、前記要求が許可されないと判断するために、前記データベース中で見つけられない許可識別子の数を使用することを備える、請求項１に記載の方法。
【請求項３】
前記ロケーションベースサービスデータを送信することが、前記データベース中の前記エントリ中の前記ロケーションに関連するマップデータを送信することを備える、請求項１に記載の方法。
【請求項４】
ロケーションベースサービスを求める要求をモバイルデバイスから受信するための手段と、ここにおいて、前記要求は、データベース中にエントリを有する前記ロケーションのための一意識別子と、前記ロケーションに関連付けられ、前記ロケーションに物理的に存在することによって前記モバイルデバイスによって取得される許可識別子とを含む、
前記データベース中の前記ロケーションのための前記エントリを見つけるために前記一意識別子を使用するための手段と、
前記要求が許可されることを検証するために前記許可識別子を使用するための手段と、ここにおいて、前記要求が許可されることを検証するために前記許可識別子を使用するための前記手段が、前記要求からの前記許可識別子を、前記データベース中の前記ロケーションのための前記エントリ中のデータベース許可識別子と比較するための手段を備える、
前記要求が許可されることを検証した後にのみ、前記ロケーションベースサービスを求める前記要求に応答して、前記モバイルデバイスに前記データベース中の前記エントリ中の前記ロケーションに関連するロケーションベースサービスデータを送信するための手段と
を備える、装置。
【請求項５】
ロケーションのための一意識別子と、前記ロケーションに関連し、前記ロケーションに物理的に存在することによって取得される許可識別子とを判断することと、
ロケーションベースサービスを求める要求を送信することと、ここにおいて、前記要求は、前記一意識別子と、前記ロケーションに関連する前記許可識別子とを含む
リモートデータベースが前記ロケーションのためのエントリを有し、前記ロケーションに関連する前記許可識別子が、前記データベース中の前記エントリ中で識別された記憶された許可に一致するときにのみ、前記ロケーションベースサービスを求める前記要求に応答して前記リモートデータベースから前記ロケーションに関連するロケーションベースサービスデータを受信することと
を備える、方法。
【請求項６】
前記ロケーションのための前記一意識別子を判断することが、前記ロケーションに関連するアクセスポイントから前記一意識別子を含むメッセージを受信することを備える、請求項５に記載の方法。
【請求項７】
前記ロケーションに関連する前記許可識別子を判断することが、前記ロケーションに関連するアクセスポイントから前記許可識別子を含むメッセージを受信することを備える、請求項５に記載の方法。
【請求項８】
前記ロケーションのための前記許可識別子を判断することが、前記ロケーションに関連するアクセスポイントから時不変データを含むメッセージを受信することと、前記時不変データを使用して前記許可識別子を生成することとを備える、請求項５に記載の方法。
【請求項９】
前記ロケーションのための前記許可識別子を判断することが、前記ロケーションの物理的近傍にあるときに見えるデバイスからデータを受信することと、前記許可識別子を判断するために前記データを使用することとを備える、請求項５に記載の方法。
【請求項１０】
見えるデバイスからの前記データが、前記ロケーションに関連するアクセスポイントの識別情報を備えるか、または、
見えるデバイスからの前記データが、前記許可識別子が位置フィックスである衛星測位システムと、前記許可識別子が少なくとも１つのシステムパラメータであるセルラーサイトとのうちの少なくとも１つからのものである、請求項９に記載の方法。
【請求項１１】
ロケーションのための一意識別子と前記ロケーションに関連し、前記ロケーションに物理的に存在することによって取得される許可識別子とを判断するための手段と、
ロケーションベースサービスを求める要求を送信するための手段と、ここにおいて、前記要求は、前記一意識別子と前記ロケーションに関連する前記許可識別子とを含む、
リモートデータベースが前記ロケーションのためのエントリを有し、前記ロケーションに関連する前記許可識別子が、前記データベース中の前記エントリ中で識別された記憶された許可に一致するときにのみ、前記ロケーションベースサービスを求める前記要求に応答して前記リモートデータベースから前記ロケーションに関連するロケーションベースサービスデータを受信するための手段と
を備える、モバイルデバイス。
【請求項１２】
前記許可識別子が、サービスセット識別子（ＳＳＩＤ）またはビーコンフレーム、または前記ＳＳＩＤもしくは前記ビーコンフレームのハッシュに関係するデータを備える、請求項１または５に記載の方法、請求項４に記載の装置、または請求項１１に記載のモバイルデバイス。
【請求項１３】
前記許可識別子が、前記ロケーションにおいて見える少なくとも１つのアクセスポイントに関係するデータと、前記ロケーションの物理的近傍にあるときの位置フィックスと、前記ロケーションにおいて見えるセルラーサイトから受信される少なくとも１つのシステムパラメータとのうちの少なくとも１つを備える、請求項１または５に記載の方法、請求項４に記載の装置、または請求項１１に記載のモバイルデバイス。
【請求項１４】
前記ロケーションのための前記一意識別子が、アクセスポイントのためのメディアアクセス制御（ＭＡＣ）アドレス、または緯度と経度のペアを備える、請求項１または５に記載の方法、請求項４に記載の装置、または請求項１１に記載のモバイルデバイス。
【請求項１５】
請求項１〜３、５〜１０、または１２〜１４のいずれかに記載の方法を実行するためのプログラムコード
を備える、その上に記憶されたプログラムコードを含む非一時的コンピュータ可読媒体。
【手続補正２】
【補正対象書類名】明細書
【補正対象項目名】００６０
【補正方法】変更
【補正の内容】
【００６０】
[0066]本発明は、教授の目的で特定の実施形態に関して示したが、本発明はそれらの実施形態に限定されない。本発明の範囲から逸脱することなく、様々な適応および修正が行われ得る。したがって、添付の特許請求の範囲の趣旨および範囲は上記の説明に限定されるべきでない。
以下に、本願出願の当初の特許請求の範囲に記載された発明を付記する。
［Ｃ１］
データベース中にエントリを有するロケーションのための一意識別子と、前記ロケーションに関連付けられた許可識別子とを含む要求をモバイルデバイスから受信することと、
前記データベース中の前記ロケーションのための前記エントリを見つけるために前記一意識別子を使用することと、
前記要求が許可されることを検証するために前記許可識別子を使用することと、前記要求が許可されることを検証した後に前記モバイルデバイスにデータを送信することと
を備える、方法。
［Ｃ２］
前記許可識別子が、前記ロケーションに存在する間に前記モバイルデバイスによって取得される、Ｃ１に記載の方法。
［Ｃ３］
前記許可識別子が、サービスセット識別子（ＳＳＩＤ）またはビーコンフレーム、または前記ＳＳＩＤもしくは前記ビーコンフレームのハッシュに関係するデータを備える、Ｃ１に記載の方法。
［Ｃ４］
前記許可識別子が、前記ロケーションにおいて見える少なくとも１つのアクセスポイントに関係するデータと、前記ロケーションの物理的近傍にあるときの位置フィックスと、前記ロケーションにおいて見えるセルラーサイトから受信される少なくとも１つのシステムパラメータとのうちの少なくとも１つを備える、Ｃ１に記載の方法。
［Ｃ５］
前記要求が許可されることを検証するために前記許可識別子を使用することが、前記要求からの前記許可識別子を、前記データベース中の前記ロケーションのための前記エントリ中のデータベース許可識別子と比較することを備える、Ｃ１に記載の方法。
［Ｃ６］
前記要求が、前記データベース中にエントリをもつ複数のロケーションのための一意識別子と、前記複数のロケーションに関連する許可識別子とを含み、ここにおいて、前記要求が許可されることを検証するために前記許可識別子を使用することは、前記要求が許可されないと判断するために、前記データベース中で見つけられない許可識別子の数を使用することを備える、Ｃ１に記載の方法。
［Ｃ７］
データを送信することが、前記データベース中の前記エントリ中の前記ロケーションに関連するマップデータを送信することを備える、Ｃ１に記載の方法。
［Ｃ８］
前記ロケーションのための前記一意識別子が、アクセスポイントのためのメディアアクセス制御（ＭＡＣ）アドレス、または緯度と経度のペアを備える、Ｃ１に記載の方法。
［Ｃ９］
一意識別子と許可識別子とを用いて識別されるロケーションのためのエントリを含むデータベースと、
前記データベース中にエントリを有するロケーションのための一意識別子と、前記ロケーションに関連付けられた許可識別子とを含むモバイルデバイスからの要求を受信するためにモバイルデバイスと通信することが可能な外部インターフェースと、
前記データベース中の前記ロケーションのための前記エントリを見つけるために前記一意識別子を使用することと、前記要求が許可されることを検証するために前記許可識別子を使用することと、前記外部インターフェースに、前記要求が許可されることを検証した後に前記モバイルデバイスにデータを送信させることとを行うように構成されたプロセッサと
を備える、装置。
［Ｃ１０］
前記許可識別子が、サービスセット識別子（ＳＳＩＤ）またはビーコンフレーム、または前記ＳＳＩＤもしくは前記ビーコンフレームのハッシュに関係するデータを備える、Ｃ９に記載の装置。
［Ｃ１１］
前記許可識別子が、前記ロケーションにおいて見える少なくとも１つのアクセスポイントに関係するデータと、前記ロケーションの物理的近傍にあるときの位置フィックスと、前記ロケーションにおいて見えるセルラーサイトから受信される少なくとも１つのシステムパラメータとのうちの少なくとも１つを備える、Ｃ９に記載の装置。
［Ｃ１２］
前記プロセッサは、前記要求からの前記許可識別子を、前記データベース中の前記ロケーションのための前記エントリ中のデータベース許可識別子と比較するように構成されることよって、前記要求が許可されることを検証するために前記許可識別子を使用するように構成された、Ｃ９に記載の装置。
［Ｃ１３］
前記要求が、前記データベース中にエントリをもつ複数のロケーションのための一意識別子と、前記複数のロケーションに関連する許可識別子とを含み、ここにおいて、前記プロセッサは、前記要求が許可されないと判断するために、前記データベース中で見つけられない許可識別子の数を使用するように構成されることよって、前記要求が許可されることを検証するために前記許可識別子を使用するように構成された、Ｃ９に記載の装置。
［Ｃ１４］
前記モバイルデバイスに送信された前記データが、前記データベース中の前記エントリ中の前記ロケーションに関連するマップデータマップデータを備える、Ｃ９に記載の装置。
［Ｃ１５］
前記ロケーションのための前記一意識別子が、アクセスポイントのためのメディアアクセス制御（ＭＡＣ）アドレス、または緯度と経度のペアを備える、Ｃ９に記載の装置。
［Ｃ１６］
データベース中にエントリを有するロケーションのための一意識別子と、前記ロケーションに関連付けられた許可識別子とを含む要求をモバイルデバイスから受信するための手段と、
前記データベース中の前記ロケーションのための前記エントリを見つけるために前記一意識別子を使用するための手段と、
前記要求が許可されることを検証するために前記許可識別子を使用するための手段と、
前記要求が許可されることを検証した後に前記モバイルデバイスにデータを送信するための手段と
を備える、装置。
［Ｃ１７］
前記許可識別子が、サービスセット識別子（ＳＳＩＤ）またはビーコンフレーム、または前記ＳＳＩＤもしくは前記ビーコンフレームのハッシュに関係するデータを備える、Ｃ１６に記載の装置。
［Ｃ１８］
前記許可識別子が、前記ロケーションにおいて見える少なくとも１つのアクセスポイントに関係するデータと、前記ロケーションの物理的近傍にあるときの位置フィックスと、前記ロケーションにおいて見えるセルラーサイトから受信される少なくとも１つのシステムパラメータとのうちの少なくとも１つを備える、Ｃ１６に記載の装置。
［Ｃ１９］
前記要求が許可されることを検証するために前記許可識別子を使用するための前記手段が、前記要求からの前記許可識別子を、前記データベース中の前記ロケーションのための前記エントリ中のデータベース許可識別子と比較するための手段を備える、Ｃ１６に記載の装置。
［Ｃ２０］
前記要求が、前記データベース中にエントリをもつ複数のロケーションのための一意識別子と、前記複数のロケーションに関連する許可識別子とを含み、ここにおいて、前記要求が許可されることを検証するために前記許可識別子を使用するための前記手段が、前記要求が許可されないと判断するために前記データベース中で見つけられない許可識別子の数を使用する、Ｃ１６に記載の装置。
［Ｃ２１］
データベース中にエントリを有するロケーションのための一意識別子と、前記ロケーションに関連付けられた許可識別子とを含む要求をモバイルデバイスから受信するためのプログラムコードと、
前記データベース中の前記ロケーションのための前記エントリを見つけるために前記一意識別子を使用するためのプログラムコードと、
前記要求が許可されることを検証するために前記許可識別子を使用するためのプログラムコードと、
前記要求が許可されることを検証した後に前記モバイルデバイスにデータを送信するためプログラムコードと
を備える、その上に記憶されたプログラムコードを含む非一時的コンピュータ可読媒体。
［Ｃ２２］
前記許可識別子が、サービスセット識別子（ＳＳＩＤ）またはビーコンフレーム、または前記ＳＳＩＤもしくは前記ビーコンフレームのハッシュに関係するデータを備える、Ｃ２１に記載の非一時的コンピュータ可読媒体。
［Ｃ２３］
前記許可識別子が、前記ロケーションにおいて見える少なくとも１つのアクセスポイントに関係するデータと、前記ロケーションの物理的近傍にあるときの位置フィックスと、前記ロケーションにおいて見えるセルラーサイトから受信される少なくとも１つのシステムパラメータとのうちの少なくとも１つを備える、Ｃ２１に記載の非一時的コンピュータ可読媒体。
［Ｃ２４］
前記要求が許可されることを検証するために前記許可識別子を使用するための前記プログラムコードが、前記要求からの前記許可識別子を、前記データベース中の前記ロケーションのための前記エントリ中のデータベース許可識別子と比較するためのプログラムコードを備える、Ｃ２１に記載の非一時的コンピュータ可読媒体。
［Ｃ２５］
前記要求が、前記データベース中にエントリをもつ複数のロケーションのための一意識別子と、前記複数のロケーションに関連する許可識別子とを含み、ここにおいて、前記要求が許可されることを検証するために前記許可識別子を使用するための前記プログラムコードが、前記要求が許可されないと判断するために、前記データベース中で見つけられない許可識別子の数を使用するためのプログラムコードを備える、Ｃ２１に記載の非一時的コンピュータ可読媒体。
［Ｃ２６］
ロケーションのための一意識別子と、前記ロケーションに関連する許可識別子とを判断することと、
前記一意識別子と、前記ロケーションに関連する前記許可識別子とを含む要求を送信することと、
リモートデータベースが前記ロケーションのためのエントリを有し、前記ロケーションに関連する前記許可識別子が、前記データベース中の前記エントリ中で識別された記憶された許可に一致するとき、前記要求に応答して前記リモートデータベースからデータを受信することと
を備える、方法。
［Ｃ２７］
前記許可識別子が、前記ロケーションに存在する間に判断される、Ｃ２６に記載の方法。
［Ｃ２８］
前記許可識別子が、サービスセット識別子（ＳＳＩＤ）またはビーコンフレーム、または前記ＳＳＩＤもしくは前記ビーコンフレームのハッシュに関係するデータを備える、Ｃ２６に記載の方法。
［Ｃ２９］
前記許可識別子が、前記ロケーションにおいて見える少なくとも１つのアクセスポイントに関係するデータと、前記ロケーションの物理的近傍にあるときの位置フィックスと、前記ロケーションにおいて見えるセルラーサイトから受信される少なくとも１つのシステムパラメータとのうちの少なくとも１つを備える、Ｃ２６に記載の方法。
［Ｃ３０］
前記ロケーションのための前記一意識別子を判断することが、前記ロケーションに関連するアクセスポイントから前記一意識別子を含むメッセージを受信することを備える、Ｃ２６に記載の方法。
［Ｃ３１］
前記ロケーションに関連する前記許可識別子を判断することが、前記ロケーションに関連するアクセスポイントから前記許可識別子を含むメッセージを受信することを備える、Ｃ２６に記載の方法。
［Ｃ３２］
前記ロケーションのための前記許可識別子を判断することが、前記ロケーションに関連するアクセスポイントから時不変データを含むメッセージを受信することと、前記時不変データを使用して前記許可識別子を生成することとを備える、Ｃ２６に記載の方法。
［Ｃ３３］
前記ロケーションのための前記許可識別子を判断することが、前記ロケーションの物理的近傍にあるときに見えるデバイスからデータを受信することと、前記許可識別子を判断するために前記データを使用することとを備える、Ｃ２６に記載の方法。
［Ｃ３４］
見えるデバイスからの前記データが、前記ロケーションに関連するアクセスポイントの識別情報を備える、Ｃ３３に記載の方法。
［Ｃ３５］
見えるデバイスからの前記データは、前記許可識別子が位置フィックスである衛星測位システムと、前記許可識別子が少なくとも１つのシステムパラメータであるセルラーサイトとのうちの少なくとも１つからのものである、Ｃ３３に記載の方法。
［Ｃ３６］
前記ロケーションのための前記一意識別子が、アクセスポイントのためのメディアアクセス制御（ＭＡＣ）アドレス、または緯度と経度のペアを備える、Ｃ２６に記載の方法。
［Ｃ３７］
モバイルデバイスがロケーションに存在する間にワイヤレス信号を受信することが可能なワイヤレスインターフェースと、
前記ロケーションのための一意識別子と、前記ロケーションに関連する許可識別子とを前記ワイヤレス信号から判断することと、前記ロケーションのためのデータベース中にエントリを有する前記データベースをもつリモートサーバに前記ワイヤレスインターフェースを用いて要求を送信することと、前記要求が、前記一意識別子と、前記ロケーションに関連する前記許可識別子とを含む、前記ロケーションに関連する前記許可識別子が、前記データベース中の前記エントリ中で識別された記憶された許可に一致するとき、前記要求に応答して前記リモートサーバから前記ワイヤレスインターフェースを用いてデータを受信することとを行うように構成されたプロセッサと
を備える、モバイルデバイス。
［Ｃ３８］
前記許可識別子が、サービスセット識別子（ＳＳＩＤ）またはビーコンフレーム、または前記ＳＳＩＤもしくは前記ビーコンフレームのハッシュに関係するデータを備える、Ｃ３７に記載のモバイルデバイス。
［Ｃ３９］
前記許可識別子が、前記ロケーションにおいて見える少なくとも１つのアクセスポイントに関係するデータと、前記ロケーションの物理的近傍にあるときの位置フィックスと、前記ロケーションにおいて見えるセルラーサイトから受信される少なくとも１つのシステムパラメータとのうちの少なくとも１つを備える、Ｃ３７に記載のモバイルデバイス。
［Ｃ４０］
前記ワイヤレス信号が、前記ロケーションに関連するアクセスポイントからの前記一意識別子と前記許可識別子とを含むメッセージを備える、Ｃ３７に記載のモバイルデバイス。
［Ｃ４１］
前記ワイヤレスインターフェースが衛星測位システム受信機を備え、前記ワイヤレス信号が衛星測位システムからのデータであり、前記許可識別子が位置フィックスである、Ｃ３７に記載のモバイルデバイス。
［Ｃ４２］
前記ワイヤレスインターフェースがセルラー受信機を備え、前記許可識別子が少なくとも１つのシステムパラメータである、Ｃ３７に記載のモバイルデバイス。
［Ｃ４３］
前記ロケーションのための前記一意識別子が、アクセスポイントのためのメディアアクセス制御（ＭＡＣ）アドレス、または緯度と経度のペアを備える、Ｃ３７に記載のモバイルデバイス。
［Ｃ４４］
ロケーションのための一意識別子と前記ロケーションに関連する許可識別子とを判断するための手段と、
前記一意識別子と前記ロケーションに関連する前記許可識別子とを含む要求を送信するための手段と、
リモートデータベースが前記ロケーションのためのエントリを有し、前記ロケーションに関連する前記許可識別子が、前記データベース中の前記エントリ中で識別された記憶された許可に一致するとき、前記要求に応答して前記リモートデータベースからデータを受信するための手段と
を備える、モバイルデバイス。
［Ｃ４５］
前記許可識別子が、サービスセット識別子（ＳＳＩＤ）またはビーコンフレーム、または前記ＳＳＩＤもしくは前記ビーコンフレームのハッシュに関係するデータを備える、Ｃ４４に記載のモバイルデバイス。
［Ｃ４６］
前記許可識別子が、前記ロケーションにおいて見える少なくとも１つのアクセスポイントに関係するデータと、前記ロケーションの物理的近傍にあるときの位置フィックスと、前記ロケーションにおいて見えるセルラーサイトから受信される少なくとも１つのシステムパラメータとのうちの少なくとも１つを備える、Ｃ４４に記載のモバイルデバイス。
［Ｃ４７］
前記ロケーションのための前記一意識別子が、アクセスポイントのためのメディアアクセス制御（ＭＡＣ）アドレス、または緯度と経度のペアを備える、Ｃ４４に記載のモバイルデバイス。
［Ｃ４８］
ロケーションのための一意識別子と前記ロケーションに関連する許可識別子とを判断するためのプログラムコードと、
前記一意識別子と前記ロケーションに関連する前記許可識別子とを含む要求を送信するためのプログラムコードと、
リモートデータベースが前記ロケーションのためのエントリを有し、前記ロケーションに関連する前記許可識別子が、前記データベース中の前記エントリ中で識別された記憶された許可に一致するとき、前記要求に応答して前記リモートデータベースからデータを受信するためのプログラムコードと
を備える、その上に記憶されたプログラムコードを含む非一時的コンピュータ可読媒体。
［Ｃ４９］
前記許可識別子が、サービスセット識別子（ＳＳＩＤ）またはビーコンフレーム、または前記ＳＳＩＤもしくは前記ビーコンフレームのハッシュに関係するデータを備える、Ｃ４８に記載の非一時的コンピュータ可読媒体。
［Ｃ５０］
前記許可識別子が、前記ロケーションにおいて見える少なくとも１つのアクセスポイントに関係するデータと、前記ロケーションの物理的近傍にあるときの位置フィックスと、前記ロケーションにおいて見えるセルラーサイトから受信される少なくとも１つのシステムパラメータとのうちの少なくとも１つを備える、Ｃ４８に記載の非一時的コンピュータ可読媒体。
［Ｃ５１］
前記ロケーションのための前記一意識別子が、アクセスポイントのためのメディアアクセス制御（ＭＡＣ）アドレス、または緯度と経度のペアを備える、Ｃ４８に記載の非一時的コンピュータ可読媒体。
［Ｃ５２］
データをクラウドソーシングする方法であって、前記方法は、
データベース中のエントリのためのロケーションのためのクラウドソーシングされたデータを受信することと、前記クラウドソーシングされたデータが、前記ロケーションに関連するクラウドソーシングされた許可識別子を含む、
前記データベースが前記ロケーションのための前記エントリを含むと判断することと、
前記データベース中の前記ロケーションに関連するデータベース許可識別子が有効状態にあるが、前記クラウドソーシングされた許可識別子に一致しないと判断することと、
前記データベース許可識別子の値を前記クラウドソーシングされた許可識別子の値に変更することと、
前記データベース許可識別子を前記有効状態から確認待ち状態に変更することと、ここにおいて、前記確認待ち状態にあるとき、前記データベース許可識別子が要求の検証のために使用されない、
を備える、方法。
［Ｃ５３］
前記データベース許可識別子に一致するクラウドソーシングされた許可識別子をもつ所定の数のクラウドソーシングされたデータメッセージを受信した後に、前記データベース許可識別子を前記確認待ち状態から前記有効状態に変更すること
をさらに備える、Ｃ５２に記載の方法。
［Ｃ５４］
データをクラウドソーシングするための装置であって、前記装置は、
一意識別子と許可識別子とを用いて識別されるロケーションのためのエントリを含むデータベースと、
前記データベース中のエントリのためのロケーションのためのクラウドソーシングされたデータを受信するためにモバイルデバイスと通信することが可能な外部インターフェースと、前記クラウドソーシングされたデータが、前記ロケーションに関連するクラウドソーシングされた許可識別子を含む、
前記データベースが前記ロケーションのための前記エントリを含むと判断することと、前記データベース中の前記ロケーションに関連するデータベース許可識別子が有効状態にあるが、前記クラウドソーシングされた許可識別子に一致しないと判断することと、前記データベース許可識別子の値を前記クラウドソーシングされた許可識別子の値に変更することと、前記データベース許可識別子を前記有効状態から確認待ち状態に変更することと、ここにおいて、前記確認待ち状態にあるとき、前記データベース許可識別子が要求の検証のために使用されない、を行うように構成されたプロセッサと
を備える、装置。
［Ｃ５５］
前記プロセッサは、前記データベース許可識別子に一致するクラウドソーシングされた許可識別子をもつ所定の数のクラウドソーシングされたデータメッセージを受信した後に、前記データベース許可識別子を前記確認待ち状態から前記有効状態に変更するようにさらに構成された、Ｃ５４に記載の装置。
［Ｃ５６］
データをクラウドソーシングするための装置であって、前記装置は、
データベース中のエントリのためのロケーションのためのクラウドソーシングされたデータを受信するための手段と、前記クラウドソーシングされたデータが、前記ロケーションに関連するクラウドソーシングされた許可識別子を含む、
前記データベースが前記ロケーションのための前記エントリを含むと判断するための手段と、
前記データベース中の前記ロケーションに関連するデータベース許可識別子が有効状態にあるが、前記クラウドソーシングされた許可識別子に一致しないと判断するための手段と、
前記データベース許可識別子の値を前記クラウドソーシングされた許可識別子の値に変更するための手段と、
前記データベース許可識別子を前記有効状態から確認待ち状態に変更するための手段と、ここにおいて、前記確認待ち状態にあるとき、前記データベース許可識別子が要求の検証のために使用されない、
を備える、装置。
［Ｃ５７］
前記データベース許可識別子に一致するクラウドソーシングされた許可識別子をもつ所定の数のクラウドソーシングされたデータメッセージを受信した後に、前記データベース許可識別子を前記確認待ち状態から前記有効状態に変更するための手段
をさらに備える、Ｃ５６に記載の装置。
［Ｃ５８］
データベース中のエントリのためのロケーションのためのクラウドソーシングされたデータを受信するためのプログラムコードと、前記クラウドソーシングされたデータが、前記ロケーションに関連するクラウドソーシングされた許可識別子を含む、
前記データベースが前記ロケーションのための前記エントリを含むと判断するためのプログラムコードと、
前記データベース中の前記ロケーションに関連するデータベース許可識別子が有効状態にあるが、前記クラウドソーシングされた許可識別子に一致しないと判断するためのプログラムコードと、
前記データベース許可識別子の値を前記クラウドソーシングされた許可識別子の値に変更するためのプログラムコードと、
前記データベース許可識別子を前記有効状態から確認待ち状態に変更するためのプログラムコードと、ここにおいて、前記確認待ち状態にあるとき、前記データベース許可識別子が要求の検証のために使用されない、
を備える、その上に記憶されたプログラムコードを含む非一時的コンピュータ可読媒体。
［Ｃ５９］
前記データベース許可識別子に一致するクラウドソーシングされた許可識別子をもつ所定の数のクラウドソーシングされたデータメッセージを受信した後に、前記データベース許可識別子を前記確認待ち状態から前記有効状態に変更するためのプログラムコードをさらに備える、Ｃ５８に記載の非一時的コンピュータ可読媒体。